(57)【要約】  液晶表示装置は、複数の画素を有する液晶パネルと、複数の画素に各々対応する複数の画素信号を含む画像信号を受け付けると、複数の画素信号のうち、液晶パネル内で隣接する画素同士に各々対応する隣接画素信号同士について、レベル差を検出する検出手段と、レベル差が所定値以上である場合に、レベル差が小さくなるように画像信号を補正して出力用画像信号を生成し、出力用画像信号を液晶パネルに出力して出力用画像信号に応じた画像を表示する制御手段と、を含む。
2014184892.tif 000002
【特許請求の範囲】
【請求項１】
複数の画素を有する液晶パネルと、
前記複数の画素に各々対応する複数の画素信号を含む画像信号を受け付けると、前記複数の画素信号のうち、前記液晶パネル内で隣接する画素同士に各々対応する隣接画素信号同士について、レベル差を検出する検出手段と、
前記レベル差が所定値以上である場合に、前記レベル差が小さくなるように前記画像信号を補正して出力用画像信号を生成し、前記出力用画像信号を前記液晶パネルに出力して前記出力用画像信号に応じた画像を表示する制御手段と、を含む液晶表示装置。
【請求項２】
請求項１に記載の液晶表示装置において、
前記制御手段は、前記隣接画素信号の輝度を表す輝度信号を生成し、該輝度信号から、該輝度信号がローパスフィルタを通過した後の信号を減算し、該減算の結果の範囲を負の第１所定値から正の第２所定値までの範囲に制限するリミット処理を行って補正強度を生成し、該補正強度に、前記レベル差が大きくなるほど大きくなる補正値を乗算し、該乗算の結果を前記隣接画素信号に加算することによって前記出力用画像信号を生成する、液晶表示装置。
【請求項３】
請求項１または２に記載の液晶表示装置において、
前記検出手段は、さらに、前記隣接画素信号の各々について、前記隣接画素信号のレベルが第１閾値を超えているか否かと、前記隣接画素信号のレベルが前記第１閾値よりも小さい第２閾値以下であるか否かと、を判断し、
前記制御手段は、前記隣接画素信号同士のレベル差が前記所定値以上であり前記隣接画素信号同士の各々の判断結果が所定条件を満たす場合に、前記レベル差が小さくなるように前記画像信号を補正して前記出力用画像信号を生成する、液晶表示装置。
【請求項４】
請求項３に記載の液晶表示装置において、
前記制御手段は、前記隣接画素信号同士のレベル差が前記所定値以上であり前記隣接画素信号同士の各々の判断結果が前記所定条件を満たす場合に、前記隣接画素信号同士のレベル差が小さくなり、かつ、前記隣接画素信号同士のレベル差が大きいほど、前記隣接画素信号の各レベルの補正量が大きくなるように、前記画像信号を補正して前記出力用画像信号を生成する、液晶表示装置。
【請求項５】
請求項３または４に記載の液晶表示装置において、
前記液晶パネルは、プレチルトを有する液晶分子を有し前記画素を順次走査する垂直配向型液晶パネルであり、
前記所定条件は、前記プレチルトの向きが前記垂直配向型液晶パネルの走査方向の成分を有する場合には、前記隣接画素信号同士のうち、先に走査される画素に対応する隣接画素信号のレベルが前記第１閾値を超え、後に走査される画素に対応する隣接画素信号のレベルが前記第２閾値以下であるという条件であり、また、前記プレチルトの向きが前記走査方向と逆向きの成分を有する場合には、前記隣接画素信号同士のうち、先に走査される画素に対応する隣接画素信号のレベルが前記第２閾値以下であり、後に走査される画素に対応する隣接画素信号のレベルが前記第１閾値を超えるという条件である、液晶表示装置。
【請求項６】
複数の画素を有する液晶パネルを含む液晶表示装置での画像表示方法であって、
前記複数の画素に各々対応する複数の画素信号を含む画像信号を受け付けると、前記複数の画素信号のうち、前記液晶パネル内で隣接する前記画素同士に各々対応する隣接画素信号同士のレベル差を検出し、
前記レベル差が所定値以上である場合に、前記レベル差が小さくなるように前記画像信号を補正して出力用画像信号を生成し、前記出力用画像信号を前記液晶パネルに出力して前記出力用画像信号に応じた画像を表示する、画像表示方法。
【発明の詳細な説明】
【技術分野】
【０００１】
本発明は、液晶表示装置および画像表示方法に関し、例えば、ＶＡ（Vertical Alignment：垂直配向）型液晶パネルを用いた液晶表示装置および画像表示方法に関する。
【背景技術】
【０００２】
液晶パネルを用いた液晶表示装置（例えば、液晶プロジェクタ）が知られている。【０００３】
特許文献１には、表示画像の視認性を向上するために、入力画像信号に対して、コントラストおよびシャープネス等の画質を調整するための画像処理を行い、画像処理が施された画像信号に応じた画像を表示する液晶プロジェクタが記載されている。【０００４】
コントラストとシャープネスの調整は、例えば、画像内のオブジェクトの輪郭を強調して、画像の鮮明度を高めるために行われる。具体的には、画像内のオブジェクトのエッジ（へり）とそのエッジに隣接する部分との明るさの差が閾値よりも小さい場合に、その差が大きくなるように、画像信号が補正される。【０００５】
また、特許文献２には、ＶＡ型液晶パネルを用いて投写画像を形成する液晶プロジェクタが記載されている。【０００６】
ＶＡ型液晶パネルでは、誘電率異方性が負の液晶材料を主成分とする液晶が用いられ、電圧が印加されていない場合、液晶分子の長軸方向は、液晶パネルの面に対して垂直方向（以下「面外方向」と称する）となる。電圧が印加されていない状況での、液晶パネルの面外方向に対する液晶分子の長軸方向の傾きは、一般的に「プレチルト」と称される。プレチルトの向きは、配向膜によって規定される。
【先行技術文献】
【特許文献】
【０００７】
【特許文献１】特開２０１２−０４９７６３号公報
【特許文献２】特開２０１２−１１３０２１号公報
【発明の概要】
【発明が解決しようとする課題】
【０００８】
ＶＡ型液晶パネルでは、隣接する画素間の明るさの差が大きい箇所の一部で、液晶分子の傾きが異常になり、画像が劣化するという問題があった。【０００９】
以下、この問題について説明する。【００１０】
図１Ａは、ＶＡ型液晶パネル１００Ｒと、プレチルトの向きの水平成分（ＶＡ型液晶パネル１００Ｒのパネル面と並行な方向の成分）を表す矢印Ａと、ＶＡ型液晶パネル１００Ｒの水平走査方向を表す矢印Ｂと、ＶＡ型液晶パネル１００Ｒの垂直走査方向を表す矢印Ｃと、を示した図面である。【００１１】
図１Ａでは、矢印Ａの始点Ａ１は、液晶分子の長軸の両端部のうち液晶パネル１００Ｒの下側基板側の端部に対応し、矢印Ａの終点Ａ２は、液晶分子の長軸の両端部のうち液晶パネル１００Ｒの上側基板側の端部に対応する。以下、図１Ａに示したプレチルトの向きを「右配向」と称する。【００１２】
なお、矢印Ａは、矢印Ｂと平行な水平走査方向成分Ａ３と、矢印Ｃと平行な垂直走査方向成分Ａ４と、を有する。水平走査方向成分Ａ３は矢印Ｂと逆向きとなり、垂直走査方向成分Ａ４は矢印Ｃと同じ向きとなる。【００１３】
図１Ｂは、ＶＡ型液晶パネル１００Ｌと、プレチルトの向きの水平成分（ＶＡ型液晶パネル１００Ｌのパネル面と並行な方向の成分）を表す矢印Ｄと、ＶＡ型液晶パネル１００Ｌの水平走査方向を表す矢印Ｂと、ＶＡ型液晶パネル１００Ｌの垂直走査方向を表す矢印Ｃと、を示した図面である。【００１４】
図１Ｂでは、矢印Ｄの始点Ｄ１は、液晶分子の長軸の両端部のうち液晶パネル１００Ｌの下側基板側の端部に対応し、矢印Ｄの終点Ｄ２は、液晶分子の長軸の両端部のうち液晶パネル１００Ｌの上側基板側の端部に対応する。以下、図１Ｂに示したプレチルトの向きを「左配向」と称する。【００１５】
なお、矢印Ｄは、矢印Ｂと平行な水平走査方向成分Ｄ３と、矢印Ｃと平行な垂直走査方向成分Ｄ４と、を有する。水平走査方向成分Ｄ３は矢印Ｂと同じ向きとなり、垂直走査方向成分Ｄ４は矢印Ｃと同じ向きとなる。【００１６】
図２は、右配向のＶＡ型液晶パネル（以下「右配向液晶パネル」と称する）１００Ｒに入力される画像信号が表す画像と、右配向液晶パネル１００Ｒの表示画像と、を示した図である。【００１７】
図２において、画像１０１ａ１および１０１ｃ１は、画像信号１０１ａおよび１０１ｃが理想的な液晶パネルに入力されたときに表示される画像である。画像１０１ｂＲおよび１０１ｄＲは、それぞれ、画像信号１０１ａ、１０１ｃが入力された際に右配向液晶パネル１００Ｒが表示する画像である。【００１８】
画像信号１０１ａおよび１０１ｃは、黒を表す黒信号と、白を表す白信号と、を含む。このため、画像１０１ａ１および１０１ｃ１は、黒領域１０１ｅと、白領域１０１ｆと、を含む。【００１９】
図２に示したように、右配向液晶パネル１００Ｒでは、水平走査方向で黒から白に切り替わる領域１０１ｇで影のような画（以下「ノイズ画」と称する）が生じ、垂直走査方向で白から黒に切り替わる領域１０１ｈでノイズ画が生じる。【００２０】
図３は、領域１０１ｇの水平走査方向での液晶の状態を説明するための図である。【００２１】
なお、図３では、液晶分子１００ａのプレチルトとして、図１Ａに示した水平走査方向成分Ａ３に対応するプレチルトが示されている。【００２２】
一般的に、液晶パネルの駆動には、液晶に印加される電圧の極性が所定の周期で反転する交流駆動が用いられる。交流駆動には、水平ライン単位で反転されるライン反転駆動、フレーム単位で反転されるフレーム反転駆動など、また、それらの組み合わせで反転される駆動がある。この反転駆動は、対向電極の電位を基準とし、映像信号に応じた電圧を所定の周期で正極性と負極性とで反転して画素電極に書き込まれる。【００２３】
図３において、画素電極１００ｂに対向電極電位に対し０Ｖの電圧（黒表示用の電圧）が印加され、画素電極１００ｃに対向電極電位に対し+５Ｖ、または−５Ｖの電圧（白表示用の電圧）が印加されると、画素電極１００ｂに対応する画素は黒を表示し、画素電極１００ｃに対応する画素は白を表示する。ここで、白表示は、液晶パネルに照射された光のほとんどが通過することを示し、黒表示は、液晶パネルに照射された光のほとんどが遮断されることを示している。【００２４】
このとき、基準電位である対向電極電位に対し、例えば、５Ｖの電圧が印加されている画素電極１００ｃと、基準電位である対向電極１００ｄと、の間には、等電位面（例えば、１Ｖの電位を有する面１００ｅ、２Ｖの電位を有する面１００ｆ、３Ｖの電位を有する面１００ｇ、４Ｖの電位を有する面１００ｈ）が生じる。また、画素電極１００ｂの電圧が対向電極電位に対し０Ｖなので、各等電位面は、画素電極１００ｂと画素電極１００ｃとの間の位置で収束するように、画素電極１００ｂ側で曲面となる。【００２５】
等電位面が曲面を構成する領域では、曲率に応じた強さの横電界（例えば、横電界１００ｉ、１００ｊおよび１００ｋ）が発生する。【００２６】
液晶分子１００ａは、横電界が存在する領域において、横電界の影響を受け、横電界の領域から白表示の電界の領域（画素電極１００ｃ側）に離れるに従い、白表示の電界の影響を受ける。【００２７】
つまり、横電界が発生すると、横電界が存在する領域内の液晶分子１００ａは、液晶分子１００ａの長軸方向が電界に垂直になるように向きを変える。このため、横電界１００ｉ、１００ｊおよび１００ｋに応じて向きを変えた液晶分子１００ａ１、１００ａ２および１００ａ３では、液晶分子の長軸の向きが、プレチルトの向き（水平走査方向成分Ａ３）と逆向きになる。【００２８】
液晶分子１００ａ１、１００ａ２および１００ａ３の近傍の液晶分子１００ａ４、１００ａ５および１００ａ６は、液晶分子の長軸の向きがプレチルトの向きに戻り、さらに、液晶分子１００ａ４、１００ａ５および１００ａ６の近傍の液晶分子１００ａ７、１００ａ８および１００ａ９は、白を表す向きに近くなり、さらに、その近傍の液晶分子は、白を表す向きになる。【００２９】
したがって、横電界に応じて液晶分子の長軸の向きがプレチルトの向きと逆向きになり、液晶分子の長軸の向きが、画素電極の電圧に応じた向きとなるまでの間、水平走査方向で黒から白に切り替わる領域１０１ｇでノイズ画が発生する。【００３０】
なお、右配向液晶パネル１００Ｒの垂直走査方向で白から黒に切り替わる領域１０１ｈでノイズ画が生じる理由も、横電界に応じて液晶分子の長軸の向きがプレチルトの向きと逆向きになることに起因する。【００３１】
また、横電界に応じて液晶分子の長軸の向きがプレチルトの向きと逆向きになることで発生するノイズ画は、右配向液晶パネル１００Ｒでのみ生じるものではなく、横電界に応じて液晶分子の長軸の向きがプレチルトの向きと逆向きになる液晶パネルで生じる。【００３２】
図４は、左配向のＶＡ型液晶パネル（以下「左配向液晶パネル」と称する）１００Ｌに入力される画像信号が表す画像と、左配向液晶パネル１００Ｌの表示画像と、を示した図である。なお、図４において、図２に示したものと同一のものには同一符号を付してある。【００３３】
図４において、画像１０１ｂＬおよび１０１ｄＬは、それぞれ、画像信号１０１ａ、１０１ｃが入力された際に左配向液晶パネル１００Ｌが表示する画像である。【００３４】
図４に示したように、左配向液晶パネル１００Ｌでは、水平走査方向で白から黒に切り替わる領域１０１ｍで影のような画（ノイズ画）が生じ、垂直走査方向で白から黒に切り替わる領域１０１ｈでノイズ画が生じる。図４に示したノイズ画も、横電界に応じて液晶分子の長軸の向きがプレチルトの向きと逆向きになることに起因する。【００３５】
なお、横電界は、隣接する画素電極間での電圧差が大きいほど、換言すると、隣接する画素間での明るさの差が大きいほど、強くなる。このため、横電界に起因するノイズ画は、隣接する画素間での明るさの差が大きいほど発生しやすくなる。【００３６】
特許文献１に記載の画像処理は、隣接する画素間の明るさの差が小さい場合に、その差を大きくする。このため、特許文献１に記載の画像処理では、隣接する画素間の明るさの差が大きい場合に発生するノイズ画を、抑制することができない。【００３７】
本発明の目的は、画像の劣化を抑制可能な液晶表示装置および画像表示方法を提供することである。
【課題を解決するための手段】
【００３８】
本発明の液晶表示装置は、
複数の画素を有する液晶パネルと、
前記複数の画素に各々対応する複数の画素信号を含む画像信号を受け付けると、前記複数の画素信号のうち、前記液晶パネル内で隣接する画素同士に各々対応する隣接画素信号同士について、レベル差を検出する検出手段と、
前記レベル差が所定値以上である場合に、前記レベル差が小さくなるように前記画像信号を補正して出力用画像信号を生成し、前記出力用画像信号を前記液晶パネルに出力して前記出力用画像信号に応じた画像を表示する制御手段と、を含む。【００３９】
本発明の画像表示方法は、
複数の画素を有する液晶パネルを含む液晶表示装置での画像表示方法であって、
前記複数の画素に各々対応する複数の画素信号を含む画像信号を受け付けると、前記複数の画素信号のうち、前記液晶パネル内で隣接する前記画素同士に各々対応する隣接画素信号同士のレベル差を検出し、
前記レベル差が所定値以上である場合に、前記レベル差が小さくなるように前記画像信号を補正して出力用画像信号を生成し、前記出力用画像信号を前記液晶パネルに出力して前記出力用画像信号に応じた画像を表示する。
【発明の効果】
【００４０】
本発明によれば、隣接する画素間の明るさの差が大きい場合に発生する画像の劣化を抑制することが可能になる。
【図面の簡単な説明】
【００４１】
【図１Ａ】ＶＡ型液晶パネル１００Ｒでのプレチルトの向きの水平成分と水平走査方向と垂直走査方向とを示した図面である。
【図１Ｂ】ＶＡ型液晶パネル１００Ｌでのプレチルトの向きの水平成分と水平走査方向と垂直走査方向とを示した図面である。
【図２】右配向液晶パネル１００Ｒに入力される画像信号が表す画像と、右配向液晶パネル１００Ｒの表示画像と、を示した図である。
【図３】領域１０１ｇの水平走査方向での液晶の状態を説明するための図である。
【図４】左配向液晶パネル１００Ｌに入力される画像信号が表す画像と、左配向液晶パネル１００Ｌの表示画像と、を示した図である。
【図５】本発明の第１実施形態の液晶プロジェクタを示した図である。
【図６】信号検出部３１０Ｒと保持部３４０とを示した図である。
【図７】保持部３４０に保持された配向向きが「右」でかつ設置状態が「前方」、または、配向向きが「左」でかつ設置状態が「後方」である場合における、減算部Ｂ１の出力と入力振幅差閾値Ａ１〜Ａ３との比較結果と、元検出情報信号Ｃ５１と、の関係を示した図である。
【図８】保持部３４０に保持された配向向きが「左」でかつ設置状態が「前方」、または、配向向きが「右」でかつ設置状態が「後方」である場合における、減算部Ｂ１の出力と入力振幅差閾値Ａ１〜Ａ３との比較結果と、元検出情報信号Ｃ５１と、の関係を示した図である。
【図９】保持部３４０に保持された配向向きが「右」または「左」でかつ、設置状態が「床置」である場合における、減算部Ｂ２の出力と入力振幅差閾値Ａ１〜Ａ３との比較結果と、元検出情報信号Ｃ６１と、の関係を示した図である。
【図１０】保持部３４０に保持された配向向きが「右」または「左」でかつ、設置状態が「天吊」である場合における、減算部Ｂ２の出力と入力振幅差閾値Ａ１〜Ａ３との比較結果と、元検出情報信号Ｃ６１と、の関係を示した図である。
【図１１】信号記憶部３２０Ｒを示した図である。
【図１２】補正領域設定部３３０Ｒを示した図である。
【図１３】コントラスト改善部３５０の一例を示した図である。
【図１４】輝度差にて特定されたエッジを表した図である。
【図１５】図１４に示した画像の水平方向の輝度信号Ｙと、２ＤＬＰＦ３５０Ｙ２を通した結果の輝度信号Ｙａと、輝度信号Ｙから抽出される補正基準信号Ｙｂと、の関係を示した図である。
【図１６】Ｄ−Ｆ／Ｆ３５０Ｒ１１の出力（元画像信号のＲ信号）に乗算部３５０Ｒ８からの主補正量を加算することで生成された出力用画像信号のＲ信号の一例を示した図である。
【図１７】信号検出部３１０Ａを示した図である。
【図１８】信号記憶部３２０Ａを示した図である。
【図１９】補正領域設定部３３０Ａを示した図である。
【図２０】改善部３５０Ａを示した図である。
【発明を実施するための形態】
【００４２】
以下、本発明の実施形態について図面を参照して説明する。
【００４３】
（第１実施形態）
図５は、本発明の第１実施形態の液晶プロジェクタを示した図である。
【００４４】
図５において、液晶プロジェクタ１００は、液晶表示装置の一例である。液晶プロジェクタ１００は、映像入力部１０と、解像度変換・台形歪補正部２０と、信号処理部３０と、複数の画素を有する液晶パネル４０Ｒ、４０Ｇおよび４０Ｂと、ＣＰＵ（Central Processing Unit）５０と、ＣＰＵシステムバス６０と、投写部７０と、液晶パネル駆動部８０Ｒ、８０Ｇおよび８０Ｂを含む。以下、液晶パネル４０Ｒ、４０Ｇおよび４０Ｂを液晶パネル４０と総称することもある。
【００４５】
本実施形態では、液晶パネル４０として、プレチルトを有する液晶分子を有し画素を順次走査する垂直配向型液晶パネルが用いられる。例えば、液晶パネル４０として、右配向液晶パネルまたは左配向液晶パネルが用いられる。
【００４６】
映像入力部１０は、画像信号を受け付け、画像信号を解像度変換・台形歪補正部２０に出力する。
【００４７】
解像度変換・台形歪補正部２０は、映像入力部１０から画像信号を受け付けると、画像信号の解像度を、液晶パネル４０の解像度に合うように変換し、さらに、画像信号に対して台形歪補正を行う。画像信号に対する解像度変換および台形歪補正は公知技術であるため、解像度変換および台形歪補正についての詳細な説明は省略する。なお、解像度変換・台形歪補正部２０は、台形歪補正を行わなくてもよい。
【００４８】
解像度変換・台形歪補正部２０は、解像度変換と台形歪補正が施された画像信号を、信号処理部３０に出力する。以下、解像度変換・台形歪補正部２０が出力する画像信号を「元画像信号」と称する。
【００４９】
元画像信号は、液晶パネル４０の複数の画素に各々対応する複数の画素信号を含む。各画素信号は、順番に並んでおり、ドットクロックにて特定され、Ｒ（赤）信号とＧ（緑）信号とＢ（青）信号とで構成される。Ｒ信号とＧ信号とＢ信号とは、それぞれ、Ｎビットの信号である。
【００５０】
信号処理部３０は、元画像信号にて特定される画像の劣化が抑制されるように、元画像信号を処理する。
【００５１】
信号処理部３０は、検出部３０ａと、制御部３０ｂと、を含む。
【００５２】
検出部３０ａは、検出手段の一例である。
【００５３】
検出部３０ａは、液晶パネル４０の複数の画素に各々対応する複数の画素信号を含む元画像信号を受け付けると、複数の画素信号のうち、液晶パネル４０内で隣接する画素同士に各々対応する隣接画素信号同士について、信号のレベル差を検出する。
【００５４】
また、検出部３０ａは、隣接画素信号の各々について、隣接画素信号のレベルが入力上側閾値を超えているか否かと、隣接画素信号のレベルが入力下側閾値以下であるか否かと、を判断する。入力上側閾値は、第１閾値の一例である。入力下側閾値は、第２閾値の一例であり入力上側閾値よりも小さい。
【００５５】
検出部３０ａは、隣接画素信号同士のレベル差の検出結果と、隣接画素信号のレベルの判断結果と、元画像信号と、を制御部３０ｂに出力する。
【００５６】
制御部３０ｂは、制御手段の一例である。
【００５７】
制御部３０ｂは、隣接画素信号同士のレベル差が所定値以上である場合に、そのレベル差が小さくなるように元画像信号を補正して出力用画像信号を生成する。
【００５８】
本実施形態では、制御部３０ｂは、隣接画素信号同士のレベル差が所定値以上であり隣接画素信号同士の各々のレベルの判断結果が所定条件を満たす場合に、隣接画素信号同士のレベル差が小さくなるように元画像信号を補正して出力用画像信号を生成する。
【００５９】
なお、所定条件は、プレチルトの向きが液晶パネル４０の走査方向の成分を有する場合には、隣接画素信号同士のうち、先に走査される画素に対応する隣接画素信号のレベルが入力上側閾値を超え、後に走査される画素に対応する隣接画素信号のレベルが入力下側閾値以下であるという条件である。また、プレチルトの向きが液晶パネル４０の走査方向と逆向きの成分を有する場合には、所定条件は、隣接画素信号同士のうち、先に走査される画素に対応する隣接画素信号のレベルが入力下側閾値以下であり、後に走査される画素に対応する隣接画素信号のレベルが入力上側閾値を超えるという条件である。一般的に、プロジェクタにおいて、液晶パネル４０の走査方向は、プロジェクタの設置状態により変更されることがある。例えば、投写面であるスクリーンに対し前方から投写する前方投写状態と後方から投写する後方投写状態とでは、水平方向の走査方向を逆に設定する。また、机等の設置台にそのまま設置する床置投写状態と、天井等にプロジェクタの上下を逆にして設置する天吊投写状態とでは、垂直方向の走査方向を逆に設定する。これらの場合も、上記条件が適用される。つまり、液晶パネル４０の走査方向が変更されると、先に走査される画素に対応する隣接画素信号のレベルと、後に走査される画素に対応する隣接画素信号のレベルとの条件は、変更された走査方向に応じて設定される。
【００６０】
制御部３０ｂは、出力用画像信号を液晶パネル駆動部８０Ｒ、８０Ｇ、８０Ｂに出力する。
【００６１】
検出部３０ａは、信号検出部３１０Ｒ、３１０Ｇおよび３１０Ｂを有する。制御部３０ｂは、信号記憶部３２０Ｒ、３２０Ｇおよび３２０Ｂと、補正領域設定部３３０Ｒ、３３０Ｇおよび３３０Ｂと、信号検出レベル・補正量保持部（以下、単に「保持部」と称する）３４０と、コントラスト改善部３５０と、を含む。
【００６２】
本実施形態では、信号検出部３１０Ｒ、３１０Ｇおよび３１０Ｂは互いに同一構成であり、信号記憶部３２０Ｒ、３２０Ｇおよび３２０Ｂは互いに同一構成であり、補正領域設定部３３０Ｒ、３３０Ｇおよび３３０Ｂは互いに同一構成である。
【００６３】
信号検出部３１０Ｒと信号記憶部３２０Ｒと補正領域設定部３３０Ｒとは、元画像信号（複数の画素信号）の中のＲ信号を処理する。例えば、信号検出部３１０Ｒは、隣接画素信号同士のＲ信号のレベル差の検出と、隣接画素信号のＲ信号のレベルの判断と、を行い、補正領域設定部３３０Ｒは、Ｒ信号についてレベルの補正が行われる隣接画素信号の特定を行う。
【００６４】
信号検出部３１０Ｇと信号記憶部３２０Ｇと補正領域設定部３３０Ｇとは、元画像信号（複数の画素信号）の中のＧ信号を処理する。例えば、信号検出部３１０Ｇは、隣接画素信号同士のＧ信号のレベル差の検出と、隣接画素信号のＧ信号のレベルの判断と、を行い、補正領域設定部３３０Ｇは、Ｇ信号についてレベルの補正が行われる隣接画素信号の特定を行う。
【００６５】
信号検出部３１０Ｂと信号記憶部３２０Ｂと補正領域設定部３３０Ｂとは、元画像信号（複数の画素信号）の中のＢ信号を処理する。例えば、信号検出部３１０Ｂは、隣接画素信号同士のＢ信号のレベル差の検出と、隣接画素信号のＢ信号のレベルの判断と、を行い、補正領域設定部３３０Ｂは、Ｂ信号についてレベルの補正が行われる隣接画素信号の特定を行う。
【００６６】
保持部３４０は、信号検出部３１０Ｒ、３１０Ｇおよび３１０Ｂにそれぞれ設定されるパラメータと、コントラスト改善部３５０に提供される複数の補正量と、を保持する。なお、各パラメータおよび複数の補正量は、ＣＰＵシステムバス６０を介して、ＣＰＵ５０によって設定される。
【００６７】
コントラスト改善部３５０は、補正領域設定部３３０Ｒ、３３０Ｇおよび３３０Ｂの出力と、保持部３４０からの複数の補正量と、に基づいて、レベル差が所定値以上である隣接画素信号について、そのレベル差が小さくなるように元画像信号を補正して出力用画像信号を生成する。
【００６８】
液晶パネル駆動部８０Ｒ、８０Ｇ、８０Ｂは、それぞれ、出力用画像信号に応じて、液晶に印加される電圧の極性がフレーム単位の周期で反転するように、液晶パネル４０Ｒ、４０Ｇ、４０Ｂをフレーム反転駆動する。
【００６９】
液晶パネル４０は、出力用画像信号に応じた画像を生成する。
【００７０】
ＣＰＵ５０は、ＣＰＵシステムバス６０を介して、映像入力部１０、解像度変換・台形歪補正部２０、信号処理回路３０、液晶パネル駆動部８０Ｒ、８０Ｇ、８０Ｂおよび投写部７０を制御する。
【００７１】
投写部７０は、液晶パネル４０に光を照射する。投写部７０からの光は、液晶パネル４０を通過することによって、出力用画像信号に応じた投写画像になる。液晶パネル４０を通過した投写画像は、不図示の投写レンズ等を通過し、スクリーン等に拡大投写される。
【００７２】
次に、液晶プロジェクタ１００の一例およびその動作を説明する。
【００７３】
図６は、信号検出部３１０Ｒと保持部３４０とを示した図である。なお、信号検出部３１０Ｇおよび３１０Ｂは、信号検出部３１０Ｒと同一構成であり、それらの動作は信号検出部３１０Ｒの動作に準じるので、信号検出部３１０Ｇおよび３１０Ｂについての説明は省略する。
【００７４】
保持部３４０は、パラメータとして、入力レベル閾値と、配向向きと、設置状態と、優先順位Ｐ１およびＰ２と、を保持する。
【００７５】
本実施形態では、保持部３４０は、入力レベル閾値として、入力上側閾値と、入力下側閾値と、入力振幅差閾値Ａ１〜Ａ３と、を保持する。
【００７６】
入力上側閾値は、予め定められた白レベルを判定するために使用される。
【００７７】
入力下側閾値は、入力上側閾値よりも小さく、予め定められた黒レベルを判定するために使用される。
【００７８】
入力振幅差閾値Ａ１〜Ａ３は、入力振幅差閾値Ａ１、入力振幅差閾値Ａ２、入力振幅差閾値Ａ３の順で大きくなり、入力振幅差（隣接画素信号のレベル差）の大きさを判定するために使用される。なお、入力振幅差閾値Ａ１は所定値の一例である。
【００７９】
また、保持部３４０は、配向向きとして、「左」または「右」を保持する。
【００８０】
また、保持部３４０は、設置状態として、「前方投写」または「後方投写」、および、「床置投写」または「天吊投写」を保持する。
【００８１】
また、保持部３４０は、優先順位Ｐ１として、「水平方向優先」、「垂直方向優先」または「入力振幅差が大きいもの優先」を保持する。また、保持部３４０は、優先順位Ｐ２として、「黒から白優先」または「白から黒優先」を保持する。
【００８２】
信号検出部３１０Ｒは、入力レベル検出部３１１と、振幅差検出部３１２と、を含む。
【００８３】
入力レベル検出部３１１は、元画像信号のうちのＲ信号Ｒ１と、Ｒ信号Ｒ１よりも１ライン（１水平帰線期間）前のＲ信号Ｒ２と、を受け付ける。つまり、Ｒ信号Ｒ１とＲ信号Ｒ２との関係は、液晶パネル４０Ｒにおいて、垂直走査方向に隣接する画素に対応する信号の関係である。なお、１ライン前のＲ信号Ｒ２は、後述するように、信号記憶部３２０Ｒにて生成される。
【００８４】
入力レベル検出部３１１は、比較回路Ｃ１〜Ｃ４を含む。
【００８５】
比較回路Ｃ１およびＣ２は、元画像信号のＲ信号Ｒ１のレベルを判断する。
【００８６】
比較回路Ｃ１は、Ｒ信号Ｒ１のレベルが入力上側閾値よりも高い場合、つまり、Ｒ信号Ｒ１が白レベルの信号であるとき、“１”（真）を出力する。また、比較回路Ｃ１は、Ｒ信号Ｒ１のレベルが入力上側閾値以下である場合、つまり、Ｒ信号Ｒ１が白レベルの信号でないとき、“０”を出力する。
【００８７】
比較回路Ｃ２は、Ｒ信号Ｒ１のレベルが入力下側閾値以下である場合、つまり、Ｒ信号Ｒ１が黒レベルの信号であるとき、“１”（真）を出力する。また、比較回路Ｃ２は、Ｒ信号Ｒ１のレベルが入力下側閾値よりも高い場合、つまり、Ｒ信号Ｒ１が黒レベルの信号でないとき、“０”を出力する。
【００８８】
比較回路Ｃ３およびＣ４は、１ライン前のＲ信号Ｒ２のレベルを判断する。
【００８９】
比較回路Ｃ３は、１ライン前のＲ信号Ｒ２のレベルが入力上側閾値よりも高い場合、つまり、１ライン前のＲ信号Ｒ２が白レベルの信号であるとき、“１”（真）を出力する。また、比較回路Ｃ３は、１ライン前のＲ信号Ｒ２のレベルが入力上側閾値以下である場合、つまり、１ライン前のＲ信号Ｒ２が白レベルの信号でないとき、“０”を出力する。
【００９０】
比較回路Ｃ４は、１ライン前のＲ信号Ｒ２のレベルが入力下側閾値以下である場合、つまり、１ライン前のＲ信号Ｒ２が黒レベルの信号であるとき、“１”（真）を出力する。また、比較回路Ｃ４は、１ライン前のＲ信号Ｒ２のレベルが入力下側閾値よりも高い場合、つまり、１ライン前のＲ信号Ｒ２が黒レベルの信号でないとき、“０”を出力する。
【００９１】
振幅差検出部３１２は、Ｄ−Ｆ／Ｆ（Ｄ型フリップフロップ）１および２と、減算部Ｂ１およびＢ２と、比較回路Ｃ５およびＣ６と、選択回路Ｓ１と、を含む。
【００９２】
Ｄ−Ｆ／Ｆ１は、Ｒ信号Ｒ１を１ドットクロックだけ遅延させる遅延回路として機能する。
【００９３】
Ｄ−Ｆ／Ｆ２は、比較回路Ｃ１およびＣ２の出力（Ｒ信号Ｒ１が、白レベルであるか、黒レベルであるか、いずれでもないか、を表す出力）を、１ドットクロックだけ遅延させる遅延回路として機能する。
【００９４】
減算部Ｂ１は、Ｒ信号Ｒ１から、Ｒ信号Ｒ１の１ドットクロック前のＲ信号Ｒ３を減算する。つまり、Ｒ信号Ｒ１とＲ信号Ｒ３との関係は、液晶パネル４０Ｒにおいて、水平走査方向に隣接する画素に対応する信号の関係であり、減算部Ｂ１は、水平走査方向でのＲ信号のレベル変化（レベル差）を検出する。
【００９５】
減算部Ｂ２は、Ｒ信号Ｒ１から、１ライン前のＲ信号Ｒ２を減算する。つまり、減算部Ｂ２は、垂直走査方向でのＲ信号のレベル変化（レベル差）を検出する。
【００９６】
比較回路Ｃ５は、比較回路Ｃ１およびＣ２の出力と、Ｄ−Ｆ／Ｆ２の出力と、減算部Ｂ１の出力と、保持部３４０に保持された配向向きおよび入力振幅差閾値Ａ１〜Ａ３と、に基づいて、水平走査方向でのＲ信号のレベル変化の状態を検出する。比較回路Ｃ５は、水平走査方向でのＲ信号のレベル変化の状態の検出結果を表すＭビットの元検出情報信号Ｃ５１を出力する。本実施形態では、３ビットの元検出情報信号Ｃ５１が用いられる。
【００９７】
なお、比較回路Ｃ１およびＣ２の出力は、Ｒ信号Ｒ１が、白レベルであるか、黒レベルであるか、いずれでもないか、を表す。また、Ｄ−Ｆ／Ｆ２の出力は、１ドットクロック前のＲ信号Ｒ３が、白レベルであるか、黒レベルであるか、いずれでもないか、を表す。減算部Ｂ１の出力は、水平走査方向でのＲ信号のレベル変化（レベル差）を表す。
【００９８】
例えば、保持部３４０に保持された配向向きが「右」、設置状態が「前方投写（以下「前方」と称する）」である場合、比較回路Ｃ５は、水平走査方向でのＲ信号のレベルが黒レベルから白レベルに切り替わった際に、つまり、比較回路Ｃ１の出力が真（“１”）かつＤ−Ｆ／Ｆ２から出力される１ドットクロック前の比較回路Ｃ２の出力が真（“１”）であるときに、減算部Ｂ１の出力と入力振幅差閾値Ａ１〜Ａ３との比較結果を含む元検出情報信号Ｃ５１を出力する。
【００９９】
図７は、保持部３４０に保持された配向向きが「右」、設置状態が「前方」である場合における、減算部Ｂ１の出力と入力振幅差閾値Ａ１〜Ａ３との比較結果と、元検出情報信号Ｃ５１と、の関係を示した図である。
【０１００】
なお、比較回路Ｃ５は、保持部３４０に保持された配向向きが「右」、設置状態が「前方」である場合に水平走査方向でのＲ信号のレベルが黒レベルから白レベルに切り替わらない際には、元検出情報信号Ｃ５１として「０００」を出力する。
【０１０１】
一方、保持部３４０に保持された配向向きが「左」、設置状態が「前方」である場合、比較回路Ｃ５は、水平走査方向でのＲ信号のレベルが白レベルから黒レベルに切り替わった際に、つまり、比較回路Ｃ２の出力が真（“１”）かつＤ−Ｆ／Ｆ２から出力される１ドットクロック前の比較回路Ｃ１の出力が真（“１”）であるときに、減算部Ｂ１の出力と入力振幅差閾値Ａ１〜Ａ３との比較結果を含む元検出情報信号Ｃ５１を出力する。
【０１０２】
図８は、保持部３４０に保持された配向向きが「左」、設置状態が「前方」である場合における、減算部Ｂ１の出力と入力振幅差閾値Ａ１〜Ａ３との比較結果と、元検出情報信号Ｃ５１と、の関係を示した図である。
【０１０３】
なお、比較回路Ｃ５は、保持部３４０に保持された配向向きが「左」、設置状態が「前方」である場合に水平走査方向でのＲ信号のレベルが白レベルから黒レベルに切り替わらない際には、元検出情報信号Ｃ５１として「０００」を出力する。
【０１０４】
また、保持部３４０に保持された配向向きが「右」、設置状態が「後方投写（以下「後方」と称する）」である場合は、配向向きが「左」、設置状態が「前方」と同じ処理が行われる。
【０１０５】
また、保持部３４０に保持された配向向きが「左」、設置状態が「後方」である場合は、配向向きが「右」、設置状態が「前方」と同じ処理が行われる。
【０１０６】
図６に戻って、比較回路Ｃ６は、比較回路Ｃ１およびＣ２の出力と、比較回路Ｃ３およびＣ４の出力と、減算部Ｂ２の出力と、保持部３４０に保持された配向向きおよび入力振幅差閾値Ａ１〜Ａ３と、に基づいて、垂直走査方向でのＲ信号のレベル変化の状態を検出する。比較回路Ｃ６は、垂直走査方向でのＲ信号のレベル変化の状態の検出結果を表すＭビットの元検出情報信号Ｃ６１を出力する。本実施形態では、３ビットの元検出情報信号Ｃ６１が用いられる。
【０１０７】
なお、比較回路Ｃ１およびＣ２の出力は、Ｒ信号Ｒ１が、白レベルであるか、黒レベルであるか、いずれでもないか、を表す。また、比較回路Ｃ３およびＣ４の出力は、１ライン前のＲ信号Ｒ２が、白レベルであるか、黒レベルであるか、いずれでもないか、を表す。減算部Ｂ２の出力は、垂直走査方向でのＲ信号のレベル変化（レベル差）を表す。
【０１０８】
例えば、保持部３４０に保持された配向向きが「右」、設置状態が「床置投写（以下「床置」と称する）」である場合、比較回路Ｃ６は、垂直走査方向でのＲ信号のレベルが白レベルから黒レベルに切り替わった際に、つまり、比較回路Ｃ２の出力が真（“１”）かつ比較回路Ｃ３の出力が真（“１”）であるときに、減算部Ｂ２の出力と入力振幅差閾値Ａ１〜Ａ３との比較結果を含む元検出情報信号Ｃ６１を出力する。
【０１０９】
図９は、保持部３４０に保持された配向向きが「右」、設置状態が「床置」である場合における、減算部Ｂ２の出力と入力振幅差閾値Ａ１〜Ａ３との比較結果と、元検出情報信号Ｃ６１と、の関係を示した図である。
【０１１０】
なお、比較回路Ｃ６は、保持部３４０に保持された配向向きが「右」、設置状態が「床置」である場合に垂直走査方向でのＲ信号のレベルが白レベルから黒レベルに切り替わらない際には、元検出情報信号Ｃ６１として「０００」を出力する。
【０１１１】
また、保持部３４０に保持された配向向きが「左」、設置状態が「床置」である場合は、配向向きが「右」、設置状態が「床置」と同じ処理が行われる。
【０１１２】
一方、保持部３４０に保持された配向向きが「右」、設置状態が「天吊投写（以下「天吊」と称する）」である場合、比較回路Ｃ６は、垂直走査方向でのＲ信号のレベルが黒レベルから白レベルに切り替わった際に、つまり、比較回路Ｃ１の出力が真（“１”）かつ比較回路Ｃ４の出力が真（“１”）であるときに、減算部Ｂ２の出力と入力振幅差閾値Ａ１〜Ａ３との比較結果を含む元検出情報信号Ｃ６１を出力する。
【０１１３】
図１０は、保持部３４０に保持された配向向きが「右」、設置状態が「天吊」である場合における、減算部Ｂ２の出力と入力振幅差閾値Ａ１〜Ａ３との比較結果と、元検出情報信号Ｃ６１と、の関係を示した図である。
【０１１４】
なお、比較回路Ｃ６は、保持部３４０に保持された配向向きが「右」、設置状態が「天吊」である場合に垂直走査方向でのＲ信号のレベルが黒レベルから白レベルに切り替わらない際には、元検出情報信号Ｃ６１として「０００」を出力する。
【０１１５】
また、保持部３４０に保持された配向向きが「左」、設置状態が「天吊」である場合は、配向向きが「右」、設置状態が「天吊」と同じ処理が行われる。
【０１１６】
図６に戻って、選択回路Ｓ１は、比較回路Ｃ５からの元検出情報信号Ｃ５１と、比較回路Ｃ６からの元検出情報信号Ｃ６１と、保持部３４０に保持された優先順位Ｐ１と、に基づいて、元検出情報信号Ｃ５１と元検出情報信号Ｃ６１とのいずれかを選択する。選択回路Ｓ１は、選択結果を元検出情報信号Ｓ１１として出力する。
【０１１７】
本実施形態では、優先順位Ｐ１が「水平方向優先」である状況では、選択回路Ｓ１は、元検出情報信号Ｃ５１が「０００」である場合、元検出情報信号Ｃ６１を選択し、元検出情報信号Ｃ５１が「０００」以外である場合、元検出情報信号Ｃ５１を選択する。
【０１１８】
また、優先順位Ｐ１が「垂直方向優先」である状況では、選択回路Ｓ１は、元検出情報信号Ｃ６１が「０００」である場合、元検出情報信号Ｃ５１を選択し、元検出情報信号Ｃ６１が「０００」以外である場合、元検出情報信号Ｃ６１を選択する。
【０１１９】
また、優先順位Ｐ１が「入力振幅差が大きいもの優先」である状況では、選択回路Ｓ１は、元検出情報信号Ｃ５１と元検出情報信号Ｃ６１を比較し、入力振幅差（レベル差）が大きい方を選択する。
【０１２０】
図１１は、信号記憶部３２０Ｒを示した図である。なお、信号記憶部３２０Ｇおよび３２０Ｂは、信号記憶部３２０Ｒと同一構成であり、それらの動作は信号記憶部３２０Ｒの動作に準じるので、信号記憶部３２０Ｇおよび３２０Ｂについての説明は省略する。
【０１２１】
信号記憶部３２０Ｒは、ラインメモリ３２０Ｒ１、３２０Ｒ２および３２０Ｒ３を含む。
【０１２２】
ラインメモリ３２０Ｒ１、３２０Ｒ２および３２０Ｒ３は、それぞれ、ＦＩＦＯＲＡＭ（First In, First Out Random Access Memory）にて構成され、１ライン分のドットクロックだけ、入力信号を遅延する。
【０１２３】
ラインメモリ３２０Ｒ１は、Ｎビットラインメモリであり、信号検出部３１０Ｒから出力された元画像信号のＲ信号Ｒ１を１ライン分遅延する。以下、ラインメモリ３２０Ｒ１の出力を３２０Ｒ１１とも称する。
【０１２４】
ラインメモリ３２０Ｒ２は、３（Ｍ＝３）ビットラインメモリであり、信号検出部３１０Ｒから出力された元検出情報信号Ｓ１１を１ライン分遅延する。ラインメモリ３２０Ｒ２の出力は、ラインメモリ３２０Ｒ１の出力と対応するので、以下、ラインメモリ３２０Ｒ２の出力を「元検出信号情報（同ライン）３２０Ｒ２１」とも称する。
【０１２５】
ラインメモリ３２０Ｒ３は、３（Ｍ＝３）ビットラインメモリであり、ラインメモリ３２０Ｒ２にて１ライン分遅延された元検出情報信号Ｓ１１をさらに１ライン分遅延する。ラインメモリ３２０Ｒ３の出力は、ラインメモリ３２０Ｒ１の出力よりも１ライン前の出力と対応するので、以下、ラインメモリ３２０Ｒ３の出力を「元検出信号情報（１ライン前）３２０Ｒ３１」とも称する。
【０１２６】
また、信号記憶部３２０Ｒは、信号検出部３１０Ｒから出力された元検出情報信号Ｓ１１を遅延せずに出力する。信号記憶部３２０Ｒから遅延されずに出力される元検出情報信号Ｓ１１は、ラインメモリ３２０Ｒ１の出力よりも１ライン後の出力と対応するので、以下、信号記憶部３２０Ｒから遅延されずに出力される元検出情報信号Ｓ１１を「元検出信号情報（１ライン後）」とも称する。
【０１２７】
図１２は、補正領域設定部３３０Ｒを示した図である。なお、補正領域設定部３３０Ｇおよび３３０Ｂは、補正領域設定部３２０Ｒと同一構成であり、それらの動作は補正領域設定部３３０Ｒの動作に準じるので、補正領域設定部３３０Ｇおよび３３０Ｂについての説明は省略する。
【０１２８】
図１２において、補正領域設定部３３０Ｒは、Ｄ−Ｆ／Ｆ３〜１１と、選択回路Ｓ２と、を含む。
【０１２９】
Ｄ−Ｆ／Ｆ３〜１１は、それぞれ、入力信号を１ドットクロックだけ遅延させる遅延回路として機能する。
【０１３０】
Ｄ−Ｆ／Ｆ３は、信号記憶部３２０Ｒから出力された元検出信号情報（１ライン後）Ｓ１１を、１ドットクロックだけ遅延する。Ｄ−Ｆ／Ｆ４は、Ｄ−Ｆ／Ｆ３の出力を１ドットクロックだけ遅延する。
【０１３１】
Ｄ−Ｆ／Ｆ５は、信号記憶部３２０Ｒから出力された元検出信号情報（同ライン）３２０Ｒ２１を、１ドットクロックだけ遅延する。Ｄ−Ｆ／Ｆ６は、Ｄ−Ｆ／Ｆ５の出力を１ドットクロックだけ遅延する。
【０１３２】
Ｄ−Ｆ／Ｆ７は、信号記憶部３２０Ｒから出力された元検出信号情報（１ライン前）３２０Ｒ３１を、１ドットクロックだけ遅延する。Ｄ−Ｆ／Ｆ８は、Ｄ−Ｆ／Ｆ７の出力を１ドットクロックだけ遅延する。
【０１３３】
選択回路Ｓ２は、元検出信号情報（１ライン後）Ｓ１１と、Ｄ−Ｆ／Ｆ３の出力と、Ｄ−Ｆ／Ｆ４の出力と、元検出信号情報（同ライン）３２０Ｒ２１と、Ｄ−Ｆ／Ｆ５の出力と、Ｄ−Ｆ／Ｆ６の出力と、元検出信号情報（１ライン前）３２０Ｒ３１と、Ｄ−Ｆ／Ｆ７の出力と、Ｄ−Ｆ／Ｆ８の出力と、保持部３４０に保持された優先順位Ｐ２と、を受け付ける。
【０１３４】
優先順位Ｐ２が「黒から白優先」である場合、選択回路Ｓ２は、受け付けられた９個の元検出情報信号のうち、最上位ビットが“０”でありレベル差が入力振幅差閾値Ａ１以上である元検出情報信号の中で、最もレベル差が大きい元検出情報信号を選択する。
【０１３５】
一方、優先順位Ｐ２が「白から黒優先」である場合、選択回路Ｓ２は、受け付けられた９個の元検出情報信号のうち、最上位ビットが“１”でありレベル差が入力振幅差閾値Ａ１以上である元検出情報信号の中で、最もレベル差が大きい元検出情報信号を選択する。
【０１３６】
選択回路Ｓ２は、選択された元検出情報信号を、Ｄ−Ｆ／Ｆ９に出力する。
【０１３７】
Ｄ−Ｆ／Ｆ９は、選択回路Ｓ２からの元検出情報信号を１ドットクロックだけ遅延し、その遅延結果を、補正領域設定信号として出力する。
【０１３８】
Ｄ−Ｆ／Ｆ１０は、信号記憶部３２０Ｒで１ライン分遅延された元画像信号のＲ信号を、１ドットクロックだけ遅延する。Ｄ−Ｆ／Ｆ１１は、Ｄ−Ｆ／Ｆ１０の出力を１ドットクロックだけ遅延する。
【０１３９】
なお、１ライン分遅延された元画像信号のＲ信号をＤ−Ｆ／Ｆ１０で遅延することによって、Ｄ−Ｆ／Ｆ１０から出力されるＲ信号の位相は、Ｄ−Ｆ／Ｆ５からの元検出情報信号の位相と一致することになる。
【０１４０】
図１３は、コントラスト改善部３５０の一例を示した図である。
【０１４１】
図１３において、コントラスト改善部３５０は、ＲＧＢ−Ｙ変換部３５０Ｙ１と、２ＤＬＰＦ（２次元ローパスフィルタ）３５０Ｙ２と、Ｄ−Ｆ／Ｆ３５０Ｙ３と、減算部３５０Ｙ４と、リミット処理部３５０Ｙ５と、改善部３５０Ｒ、３５０Ｇおよび３５０Ｂを含む。改善部３５０Ｒ、３５０Ｇおよび３５０Ｂは、互いに同一構成である。
【０１４２】
改善部３５０Ｒは、補正領域設定部３３０Ｒからの補正領域設定信号および元画像信号のＲ信号と、リミット処理部３５０Ｙ５からの補正強度と、保持部３４０に保持された補正量３４０Ａ１〜３４０Ａ４と、を受け付ける。
【０１４３】
改善部３５０Ｇは、補正領域設定部３３０Ｇからの補正領域設定信号および元画像信号のＧ信号と、リミット処理部３５０Ｙ５からの補正強度と、保持部３４０に保持された補正量３４０Ａ１〜３４０Ａ４と、を受け付ける。
【０１４４】
改善部３５０Ｂは、補正領域設定部３３０Ｂからの補正領域設定信号および元画像信号のＢ信号と、リミット処理部３５０Ｙ５からの補正強度と、保持部３４０に保持された補正量３４０Ａ１〜３４０Ａ４と、を受け付ける。
【０１４５】
改善部３５０Ｒ、３５０Ｇおよび３５０Ｂは、それぞれ、Ｒ信号、Ｇ信号、Ｂ信号についてコントラスト改善処理を行う。なお、改善部３５０Ｒ、３５０Ｇおよび３５０Ｂは、同一構成であり、それらの動作は改善部３５０Ｒの動作に準じるので、改善部３５０Ｇおよび３５０Ｂについての説明は省略する。
【０１４６】
改善部３５０Ｒは、Ｄ−Ｆ／Ｆ３５０Ｒ１と、主補正量切換部３５０Ｒ２と、乗算部３５０Ｒ３と、Ｄ−Ｆ／Ｆ３５０Ｒ４〜３５０Ｒ６と、加算部３５０Ｒ７と、を含む。
【０１４７】
ＲＧＢ−Ｙ変換部３５０Ｙ１は、元画像信号のＲ信号、Ｇ信号およびＢ信号を受け付け、ＲＧＢ信号についてＲＧＢ−Ｙ変換を行って輝度信号Ｙを算出する。
【０１４８】
例えば、ＲＧＢ−Ｙ変換部３５０Ｒ１は、以下の数１の式に基づいて、輝度信号Ｙを算出する。
【０１４９】
Ｙ＝0.299×Ｒ＋0.587×Ｇ＋0.114×Ｂ      ・・・数１
なお、ＲＧＢ−Ｙ変換部３５０Ｒ１は、数１のパラメータ（Ｒ、Ｇ、Ｂ）として、以下の近似値を用いてもよい。
【０１５０】
Ｒ：010011001b＝0.298828125
Ｇ：100101100b＝0.5859375
Ｂ：000111011b＝0.115234375
２ＤＬＰＦ３５０Ｙ２は、輝度信号Ｙを通すことで、輝度信号Ｙの２次元（水平および垂直方向）の低周波数成分である輝度信号Ｙａを生成する。
【０１５１】
Ｄ−Ｆ／Ｆ３５０Ｙ３は、２ＤＬＰＦ３５０Ｙ２で生じる遅延分だけ輝度信号Ｙを遅延する。
【０１５２】
減算部３５０Ｙ４は、輝度信号Ｙａから、Ｄ−Ｆ／Ｆ３５０Ｙ３から出力された輝度信号Ｙを減算して、補正信号の基準となる補正基準信号Ｙｂを算出する。補正基準信号Ｙｂは、例えば、図１４に示した黒レベル１０１ｅと白レベル１０１ｆとを有する画像において、長二点鎖線１４Ａで囲われた箇所に示すように、輝度差にて特定されたエッジを２次元的（水平および垂直方向）に抽出した信号である。
【０１５３】
例えば、図１５は、図１４に示した画像の水平方向の輝度信号Ｙと、２ＤＬＰＦ３５０Ｙ２を通した結果の輝度信号Ｙａと、輝度信号Ｙから抽出される補正基準信号Ｙｂと、の関係を示した図である。
【０１５４】
リミット処理部３５０Ｙ５は、減算部３５０Ｙ４の出力Ｙｂに対して、液晶パネル４０に生成される投写画像の領域（表示領域）のうち、補正を行う領域を制限する。例えば、リミット処理部３５０Ｙ５は、液晶パネル４０の表示領域のうち、中央部付近のみ、補正を行う。リミット処理部３５０Ｙ５には、元画像信号の水平方向および垂直方向の領域を示す画像領域信号とドットクロックとが入力され、リミット処理部３５０Ｙ５は、それらの入力を用いて、液晶パネル４０に生成される投写画像における画素の位置を特定し、予め設定されている所定の領域に対して補正を行い、所定の領域以外の領域に対して、補正基準信号Ｙｂを０とすることで補正を行わないようにするための信号を生成する。また、リミット処理部３５０Ｙ５は、減算部３５０Ｙ４の出力Ｙｂに対して、所定の係数を乗算することにより、補正基準信号Ｙｂの振幅をあらかじめ調整しても良い。なお、リミット処理部３５０Ｙ５は、上記処理を行った信号を補正強度として出力する。
【０１５５】
Ｄ−Ｆ／Ｆ３５０Ｒ１は、補正領域設定部３３０Ｒからの補正領域設定信号を、ＲＧＢ−Ｙ変換部３５０Ｙ１での処理時間だけ遅延する。
【０１５６】
主補正量切換部３５０Ｒ２は、保持部３４０に保持された補正量３４０Ａ１〜３４０Ａ４を受け付ける。
【０１５７】
補正量３４０Ａ１〜３４０Ａ４は、補正量３４０Ａ１、補正量３４０Ａ２、補正量３４０Ａ３、補正量３４０Ａ４の順で大きくなる。例えば、補正量を９ビット（２の補数）で表すと、補正量３４０Ａ１＝０００ｈ、補正量３４０Ａ２＝０１Ｆｈ、補正量３４０Ａ３＝０３Ｆｈ、補正量３４０Ａ４＝０７Ｆｈである。なお、補正量は、上記に限るものではない。
【０１５８】
主補正量切換部３５０Ｒ２は、Ｄ−Ｆ／Ｆ３５０Ｒ１からの出力（補正領域設定信号）に従って、補正量３４０Ａ１〜３４０Ａ４のいずれかを選択し、その選択結果を出力する。
【０１５９】
主補正量切換部３５０Ｒ２は、補正領域設定信号が、入力振幅差（レベル差）が入力振幅差閾値Ａ１未満であることを示す場合には、補正量３４０Ａ１を出力する。
【０１６０】
主補正量切換部３５０Ｒ２は、補正領域設定信号が、入力振幅差（レベル差）が入力振幅差閾値Ａ１以上入力振幅差閾値Ａ２未満であることを示す場合には、補正量３４０Ａ２を出力する。
【０１６１】
主補正量切換部３５０Ｒ２は、補正領域設定信号が、入力振幅差（レベル差）が入力振幅差閾値Ａ２以上入力振幅差閾値Ａ３未満であることを示す場合には、補正量３４０Ａ３を出力する。
【０１６２】
また、主補正量切換部３５０Ｒ２は、補正領域設定信号が、入力振幅差（レベル差）が入力振幅差閾値Ａ３以上であることを示す場合には、補正量３４０Ａ４を出力する。
【０１６３】
なお、主補正量切換部３５０Ｒ２での処理時間は、２ＤＬＰＦ３５０Ｙ２での処理時間に対応する。
【０１６４】
乗算部３５０Ｒ３は、リミット処理部３５０Ｙ５からの補正強度と、主補正量切換部３５０Ｒ２の出力と、を乗算して、主補正量を生成する。
【０１６５】
Ｄ−Ｆ／Ｆ３５０Ｒ４は、元画像信号のＲ信号を、ＲＧＢ−Ｙ変換部３５０Ｙ１での処理時間だけ遅延する。
【０１６６】
Ｄ−Ｆ／Ｆ３５０Ｒ５は、Ｄ−Ｆ／Ｆ３５０Ｒ４の出力（元画像信号のＲ信号）を、２ＤＬＰＦ３５０Ｙ２での処理時間だけ遅延する。
【０１６７】
Ｄ−Ｆ／Ｆ３５０Ｒ６は、Ｄ−Ｆ／Ｆ３５０Ｒ５の出力（元画像信号のＲ信号）を、減算部３５０Ｙ４とリミット処理部３５０Ｙ５と乗算部３５０Ｒ３との処理時間の合計に応じた時間だけ遅延する。
【０１６８】
加減算部３５０Ｒ７は、Ｄ−Ｆ／Ｆ３５０Ｒ６の出力（元画像信号のＲ信号）に、乗算部３５０Ｒ３からの主補正量を加算して、出力用画像信号のＲ信号を生成する。
【０１６９】
図１６は、Ｄ−Ｆ／Ｆ３５０Ｒ６の出力（元画像信号のＲ信号）に乗算部３５０Ｒ３からの主補正量を加算することで生成された出力用画像信号のＲ信号の一例を示した図である。
【０１７０】
図１６に示すように、出力用画像信号のＲ信号では、図１５に示した画像のレベル１５Ａに比べて、液晶パネル４０Ｒ、４０Ｇ、４０Ｂ内の隣接画素に対応する隣接画素信号のレベル差が小さくなっている。
【０１７１】
改善部３５０Ｇおよび３５０Ｂは、それぞれ、出力用画像信号のＧ信号、出力用画像信号のＢ信号を生成する。
【０１７２】
出力用画像信号のＲ信号、出力用画像信号のＧ信号および出力用画像信号のＢ信号は、それぞれ、液晶パネル駆動部８０Ｒ、８０Ｇ、８０Ｂを経由して液晶パネル４０Ｒ、４０Ｇ、４０Ｂに出力される。
【０１７３】
液晶パネル４０Ｒ、４０Ｇ、４０Ｂには投写部７０から光が照射されており、液晶パネル４０Ｒ、４０Ｇ、４０Ｂは、投写部７０からの光を、出力用画像信号のＲ信号、出力用画像信号のＧ信号および出力用画像信号のＢ信号に応じて変調して、出力用画像信号に応じた投写画像を生成する。
【０１７４】
投写画像は、スクリーン等の表示部（不図示）に表示される。
【０１７５】
なお、上記実施形態では、画像信号の補正の要否を判定するために、配向向きと画像信号のレベルの変化の仕方（白レベルから黒レベル、または、黒レベルから白レベル）とが考慮された。しかしながら、画像信号の補正の要否を判定するために、配向向きと画像信号のレベルの変化の仕方が考慮されなくてもよい。例えば、制御部３０ｂは、隣接画素信号同士のレベル差が入力振幅差閾値Ａ１以上である場合に、そのレベル差が小さくなるように画像信号を補正する。この場合、元々同じレベル差であった箇所を、画像信号の補正後も同じレベル差にすることが可能になる。
【０１７６】
次に、本実施形態の効果を説明する。
【０１７７】
本実施形態によれば、検出部３０ａは、液晶パネル４０Ｒ、４０Ｇ、４０Ｂの複数の画素に各々対応する複数の画素信号を含む画像信号を受け付けると、複数の画素信号のうち、液晶パネル４０Ｒ、４０Ｇ、４０Ｂ内で隣接する画素同士に各々対応する隣接画素信号同士について、レベル差を検出する。制御部３０ｂは、隣接画素信号同士のレベル差が入力振幅差閾値Ａ１以上である場合に、そのレベル差が小さくなるように画像信号を補正して出力用画像信号を生成し、出力用画像信号を液晶パネル４０Ｒ、４０Ｇ、４０Ｂに出力して出力用画像信号に応じた画像を表示する。
【０１７８】
このため、隣接画素信号同士のレベル差が入力振幅差閾値Ａ１以上である場合に、そのレベル差が小さくなるように、画像信号が補正される。したがって、レベル差が入力振幅差閾値Ａ１以上の隣接画素間で生じる可能性のある画像の劣化を抑制することが可能になる。
【０１７９】
また、本実施形態では、検出部３０ａは、さらに、隣接画素信号の各々について、隣接画素信号のレベルが入力上側閾値を超えているか否かと、隣接画素信号のレベルが入力下側閾値以下であるか否かと、を判断する。制御部３０ｂは、隣接画素信号同士のレベル差が入力振幅差閾値Ａ１以上であり隣接画素信号同士の各々の判断結果が所定条件を満たす場合に、隣接画素信号同士のレベル差が小さくなるように画像信号を補正して出力用画像信号を生成する。
【０１８０】
このため、例えば、関連技術の液晶表示装置で表示を実行した状況で、走査方向における隣接画素信号のレベルの白レベルから黒レベルへの切り替わり箇所で画像が劣化する場合には、走査方向における隣接画素信号のレベルの白レベルから黒レベルへの切り替わりを所定条件として用いることで、関連技術の液晶表示装置で画像の劣化が生じていた箇所での画像の劣化を防止することが可能になる。
【０１８１】
また、関連技術の液晶表示装置で表示を実行した状況で、走査方向における隣接画素信号のレベルの黒レベルから白レベルへの切り替わり箇所で画像が劣化する場合には、走査方向における隣接画素信号のレベルの黒レベルから白レベルへの切り替わりを所定条件として用いたりすることで、関連技術の液晶表示装置で画像の劣化が生じていた箇所での画像の劣化を防止することが可能になる。
【０１８２】
また、本実施形態では、制御部３０ｂは、隣接画素信号同士のレベル差が入力振幅差閾値Ａ１以上であり隣接画素信号同士の各々の判断結果が所定条件を満たす場合に、隣接画素信号同士のレベル差が小さくなり、かつ、隣接画素信号同士のレベル差が大きいほど、隣接画素信号の各レベルの補正量が大きくなるように、画像信号を補正して出力用画像信号を生成する。
【０１８３】
このため、画像の劣化を起こりにくくすることが可能になる。
【０１８４】
また、本実施形態では、所定条件は、プレチルトの向きが液晶パネル４０Ｒ、４０Ｇ、４０Ｂの走査方向の成分を有する場合には、隣接画素信号同士のうち、先に走査される画素に対応する隣接画素信号のレベルが入力上側閾値を超え、後に走査される画素に対応する隣接画素信号のレベルが入力下側閾値以下であるという条件である。また、プレチルトの向きが液晶パネル４０Ｒ、４０Ｇ、４０Ｂの走査方向と逆向きの成分を有する場合には、所定条件は、隣接画素信号同士のうち、先に走査される画素に対応する隣接画素信号のレベルが入力下側閾値以下であり、後に走査される画素に対応する隣接画素信号のレベルが入力上側閾値を超えるという条件である。
【０１８５】
このため、液晶パネル４０Ｒ、４０Ｇ、４０Ｂ内の液晶の配向方向と、走査方向における隣接画素信号のレベルの変化の仕方と、に応じて、適切に画像の劣化を防止することが可能になる。
【０１８６】
（第２実施形態）
第２実施形態は、第１実施形態の液晶プロジェクタ１００において、信号検出部３１０Ｒ、３１０Ｇおよび３１０Ｂの各々として図１７に示した信号検出部３１０Ａが用いられ、信号記憶部３２０Ｒ、３２０Ｇおよび３２０Ｂの各々として図１８に示した信号記憶部３２０Ａが用いられ、補正領域設定部３３０Ｒ、３３０Ｇおよび３３０Ｂの各々として図１９に示した補正領域設定部３３０Ａが用いられ、改善部３５０Ｒ、３５０Ｇおよび３５０Ｂの各々として図２０に示した改善部３５０Ａが用いられた液晶プロジェクタである。なお、第２実施形態では、保持部３４０は、優先順位Ｐ１およびＰ２を保持しておらず、また、入力振幅差閾値Ａ１〜Ａ３の代わりに入力振幅差閾値Ａ４を保持し、補正量３４０Ａ１〜３４０Ａ４の代わりに補正量３４０Ａ５〜３４０Ａ６を保持する。
【０１８７】
以下、図１７〜２０を用いて、第２実施形態について第１実施形態と異なる点を中心に説明する。なお、図１７〜２０において、図６、１２または１３に示したものと同一構成のものには同一符号を付してある。
【０１８８】
図１７に示した信号検出部３１０Ａは、図６に示した信号検出部３１０Ｒにおいて、比較回路Ｃ５およびＣ６の代わりに比較回路Ｃ７およびＣ８を含み、図６に示した選択回路Ｓ１の代わりに合成部Ｅ１を含む。
【０１８９】
以下では、信号検出部３１０Ｒの代わりに用いられた信号検出部３１０Ａの動作を説明する。なお、信号検出部３１０Ｇ、３１０Ｂの代わりに用いられる信号検出部３１０Ａの動作は、信号検出部３１０Ｒの代わりに用いられた信号検出部３１０Ａの動作に準ずるので、信号検出部３１０Ｇ、３１０Ｂの代わりに用いられた信号検出部３１０Ａの動作の説明を省略する。
【０１９０】
比較回路Ｃ７は、比較回路Ｃ１およびＣ２の出力と、Ｄ−Ｆ／Ｆ２の出力と、減算部Ｂ１の出力と、保持部３４０に保持された配向向きおよび入力振幅差閾値Ａ４と、に基づいて、水平走査方向でのＲ信号のレベル変化の状態を検出する。比較回路Ｃ７は、水平走査方向でのＲ信号のレベル変化の状態の検出結果を表すＭビットの元検出情報信号Ｃ７１を出力する。本実施形態では、１ビットの元検出情報信号Ｃ７１が用いられる。
【０１９１】
例えば、保持部３４０に保持された配向向きが「右」で、設置状態が「前方」である場合、比較回路Ｃ７は、水平走査方向でのＲ信号のレベルが黒レベルから白レベルに切り替わった際に、つまり、比較回路Ｃ１の出力が真（“１”）かつＤ−Ｆ／Ｆ２から出力される１ドットクロック前の比較回路Ｃ２の出力が真（“１”）となった際に、減算部Ｂ１の出力が入力振幅差閾値Ａ４以上であると、真（“１”）を表す元検出情報信号Ｃ７１を出力する。
【０１９２】
一方、保持部３４０に保持された配向向きが「左」で、設置状態が「前方」である場合、比較回路Ｃ７は、水平走査方向でのＲ信号のレベルが白レベルから黒レベルに切り替わった際に、つまり、比較回路Ｃ２の出力が真（“１”）かつＤ−Ｆ／Ｆ２から出力される１ドットクロック前の比較回路Ｃ１の出力が真（“１”）となった際に、減算部Ｂ１の出力が入力振幅差閾値Ａ４以上であると、真（“１”）を表す元検出情報信号Ｃ７１を出力する。
【０１９３】
また、保持部３４０に保持された配向向きが「右」、設置状態が「後方」である場合は、配向向きが「左」、設置状態が「前方」と同じ処理が行われる。
【０１９４】
また、保持部３４０に保持された配向向きが「左」、設置状態が「後方」である場合は、配向向きが「右」、設置状態が「前方」と同じ処理が行われる。
【０１９５】
比較回路Ｃ８は、比較回路Ｃ１およびＣ２の出力と、比較回路Ｃ３およびＣ４の出力と、減算部Ｂ２の出力と、保持部３４０に保持された配向向きおよび入力振幅差閾値Ａ４と、に基づいて、垂直走査方向でのＲ信号のレベル変化の状態を検出する。比較回路Ｃ８は、垂直走査方向でのＲ信号のレベル変化の状態の検出結果を表すＭビットの元検出情報信号Ｃ８１を出力する。本実施形態では、１ビットの元検出情報信号Ｃ８１が用いられる。
【０１９６】
例えば、保持部３４０に保持された配向向きが「右」で設置状態が「床置」、または、配向向き「左」で設置状態が「床置」である場合、比較回路Ｃ８は、垂直走査方向でのＲ信号のレベルが白レベルから黒レベルに切り替わった際に、つまり、比較回路Ｃ２の出力が真（“１”）かつ比較回路Ｃ３の出力が真（“１”）となった際に、減算部Ｂ２の出力が入力振幅差閾値Ａ４以上であると、真（“１”）を表す元検出情報信号Ｃ８１を出力する。
【０１９７】
一方、保持部３４０に保持された配向向きが「右」で設置状態が「天吊」、または、配向向きが「左」で設置状態が「天吊」である場合、比較回路Ｃ８は、垂直走査方向でのＲ信号のレベルが黒レベルから白レベルに切り替わった際に、つまり、比較回路Ｃ１の出力が真（“１”）かつ比較回路Ｃ４の出力が真（“１”）となった際に、減算部Ｂ２の出力が入力振幅差閾値Ａ４以上であると、真（“１”）を表す元検出情報信号Ｃ８１を出力する。
【０１９８】
合成部Ｅ１は、ＯＲゲート回路であり、元検出情報信号Ｃ７１およびＣ８１を受け付ける。このため、合成部Ｅ１の出力である元検出信号Ｅ１１は、元検出情報信号Ｃ７１およびＣ８１の少なくともいずれかが“１”となった際に、“１”となる。
【０１９９】
図１８に示した信号記憶部３２０Ａは、図１１に示した信号記憶部３２０Ｒにおいて、元検出情報信号を１ライン分および２ライン分遅延させるためのラインメモリ３２０Ｒ２、３２０Ｒ３を、３（Ｍ＝３）ビットラインメモリから１（Ｍ＝１）ビットラインメモリに構成を変更し、各々ラインメモリ３２０Ｒ２´（ダッシュ）、３２０Ｒ３´(ダッシュ)と称している。ラインメモリ３２０Ｒ２´（ダッシュ）、３２０Ｒ３´(ダッシュ)の出力は、ラインメモリ３２０Ｒ１の出力と対応するので、以下、ラインメモリ３２０Ｒ２´（ダッシュ）の出力を「元検出情報信号（同ライン）３２０Ｒ２１´（ダッシュ）」、ラインメモリ３２０Ｒ３´（ダッシュ）の出力を「元検出情報信号（１ライン前）３２０Ｒ３１´（ダッシュ）」、とも称する。
【０２００】
また、信号記憶部３２０Ａは、信号検出部３１０Ａから出力された元検出情報信号Ｅ１１を遅延せずに出力する。信号記憶部３２０Ａから遅延されずに出力される元検出情報信号Ｅ１１は、ラインメモリ３２０Ｒ１の出力よりも１ライン後の出力と対応するので、以下、信号記憶部３２０Ａから遅延されずに出力される元検出情報信号Ｅ１１を「元検出情報信号（１ライン後）」とも称する。
【０２０１】
なお、信号記憶部３２０Ｇ、３２０Ｂの代わりに用いられた信号記憶部３２０Ａの動作は、信号記憶部３２０Ｒの代わりに用いられた信号記憶部３２０Ａの動作に準ずるので、信号記憶部３２０Ｇ、３２０Ｂの代わりに用いられた信号記憶部３２０Ａの動作の説明を省略する。
【０２０２】
図１９に示した補正領域設定部３３０Ａは、図１３に示した補正領域設定部３３０Ｒにおいて、合成部Ｅ２が追加され、選択回路Ｓ２の代わりに合成部Ｅ３を含み、Ｄ−Ｆ／Ｆ３、４、７および８が削除されている。
【０２０３】
以下では、補正領域設定部３３０Ｒの代わりに用いられた補正領域設定部３３０Ａの動作を説明する。なお、補正領域設定部３３０Ｇ、３３０Ｂの代わりに用いられた補正領域設定部３１０Ａの動作は、補正領域設定部３３０Ｒの代わりに用いられた補正領域設定部３３０Ａの動作に準ずるので、補正領域設定部３３０Ｇ、３３０Ｂの代わりに用いられた補正領域設定部３３０Ａの動作の説明を省略する。
【０２０４】
合成部Ｅ２は、ＯＲゲート回路であり、信号記憶部３２０Ａからの元検出情報信号（１ライン後；「元検出情報信号Ｅ１１」）と元検出情報信号（同ライン；「元検出情報信号（同ライン）３２０Ｒ２１´（ダッシュ）」）と元検出情報信号（１ライン前；「元検出情報信号（１ライン前）３２０Ｒ３１´（ダッシュ）」）とを受け付ける。このため、合成部Ｅ２の出力は、元検出情報信号（１ライン後）と元検出情報信号（同ライン）と元検出情報信号（１ライン前）との少なくともいずれかが“１”となった際に“１”となる。
【０２０５】
合成部Ｅ３は、ＯＲゲート回路であり、合成部Ｅ２の出力とＤ−Ｆ／Ｆ５の出力とＤ−Ｆ／Ｆ６の出力とを受け付ける。このため、合成部Ｅ３の出力は、合成部Ｅ２の出力とＤ−Ｆ／Ｆ５の出力とＤ−Ｆ／Ｆ６の出力との少なくともいずれかが“１”となった際に“１”となる。
【０２０６】
なお、本実施形態では、隣接画素信号のレベル差が入力振幅差閾値Ａ４以上の画素信号に対して、上下±１ライン、左右±１ドットの補正領域内で補正領域設定信号出力を求めた一実施形態であるが、隣接画素信号のレベル差が入力振幅差閾値Ａ４以上の画素信号そのものに対してだけ補正をかける場合には信号記憶部３２０Ｒ、３２０Ｇおよび３２０Ｂ内のラインメモリ３２０Ｒ２および３２０Ｒ３と、補正領域設定部３３０Ｒ、３３０Ｇおよび３３０Ｂを削除してもよい。
【０２０７】
図２０に示した改善部３５０Ａは、図１３に示した改善部３５０Ｒにおいて、主補正量切換部３５０Ｒ２の代わりに主補正量切換部３５０Ｒ２１を含む。
【０２０８】
主補正量切換部３５０Ｒ２１は、保持部３４０に保持された補正量３４０Ａ５〜３４０Ａ６と、を受け付ける。
【０２０９】
補正量３４０Ａ５〜３４０Ａ６は、補正量３４０Ａ５、補正量３４０Ａ６の順で大きくなる。
【０２１０】
主補正量切換部３５０Ｒ２１は、Ｄ−Ｆ／Ｆ３５０Ｒ１からの出力（補正領域設定信号）に従って、補正量３４０Ａ５〜３４０Ａ６のいずれかを選択し、その選択結果を出力する。
【０２１１】
主補正量切換部３５０Ｒ２１は、補正領域設定信号が“０”を示す場合には、補正量３４０Ａ５を出力する。
【０２１２】
また、主補正量切換部３５０Ｒ２１は、補正領域設定信号が“１”を示す場合には、補正量３４０Ａ６を出力する。
【０２１３】
本実施形態によれば、第１実施形態よりも簡単な構成で、レベル差が入力振幅差閾値Ａ１以上の隣接画素間で生じる可能性のある画像の劣化を抑制することが可能になる。
【０２１４】
なお、上記各実施形態では、液晶表示装置として液晶プロジェクタが用いられたが、液晶表示装置は、液晶プロジェクタに限らない。例えば、液晶表示装置として、液晶パネルに画像を表示する表示装置が用いられてもよい。
【０２１５】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【０２１６】
１００      液晶プロジェクタ
１０      映像入力部
２０      解像度変換・台形歪補正部
３０      信号処理部
３０ａ    検出部
３０ｂ    制御部
３１０Ｒ、３１０Ｇ、３１０Ｂ、３１０Ａ    信号検出部
３１１    入力レベル検出部
３１２    振幅差検出部
Ｃ１〜Ｃ８    比較回路
Ｂ１〜Ｂ２    減算部
１〜１１、３５０Ｒ１、３５０Ｒ４〜３５０Ｒ６  Ｄ−Ｆ／Ｆ
Ｓ１〜Ｓ２    選択回路
３２０Ｒ、３２０Ｇ、３２０Ｂ、３２０Ａ    信号記憶部
３２０Ｒ１〜３２０Ｒ３、３２０Ｒ２´〜３２０Ｒ３´    ラインメモリ
３３０Ｒ、３３０Ｇ、３３０Ｂ、３３０Ａ  補正領域設定部
３４０    信号検出レベル・補正量保持部
３５０、３５０´    コントラスト改善部
３５０Ｒ、３５０Ｇ、３５０Ｂ、３５０Ａ    改善部
３５０Ｙ１    ＲＧＢ−Ｙ変換部
３５０Ｙ２    ２ＤＬＰＦ
３５０Ｙ３    Ｄ−Ｆ／Ｆ
３５０Ｙ４    減算部
３５０Ｙ５    リミット処理部
３５０Ｒ２、３５０Ｒ２１    主補正量切換部
３５０Ｒ３    乗算部
３５０Ｒ７    加減算部
Ｅ１〜Ｅ３    合成部
４０Ｒ、４０Ｇ、４０Ｂ  液晶パネル
５０      ＣＰＵ
６０      ＣＰＵシステムバス
７０      投写部
８０Ｒ、８０Ｇ、８０Ｂ  液晶パネル駆動部
【図１Ａ】
2014184892.tif 000003
【図１Ｂ】
2014184892.tif 000004
【図２】
2014184892.tif 000005
【図３】
2014184892.tif 000006
【図４】
2014184892.tif 000007
【図５】
2014184892.tif 000008
【図６】
2014184892.tif 000009
【図７】
2014184892.tif 000010
【図８】
2014184892.tif 000011
【図９】
2014184892.tif 000012
【図１０】
2014184892.tif 000013
【図１１】
2014184892.tif 000014
【図１２】
2014184892.tif 000015
【図１３】
2014184892.tif 000016
【図１４】
2014184892.tif 000017
【図１５】
2014184892.tif 000018
【図１６】
2014184892.tif 000019
【図１７】
2014184892.tif 000020
【図１８】
2014184892.tif 000021
【図１９】
2014184892.tif 000022
【図２０】
2014184892.tif 000023
【国際調査報告】
2014184892.tif 000024
2014184892.tif 000025
2014184892.tif 000026
2014184892.tif 000027